【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
医療用管であって、
前記医療用管の第１の区分が、
加湿ガスを輸送するように構成された管路を形成する第１の構造と、
第１の加熱器ワイヤ回路を備え、
前記医療用管がさらに、医療用管の第２の区分を備え、前記第２の区分が、
前記加湿ガスを輸送するように構成された管路を形成する第２の構造と、
第２の加熱器ワイヤ回路を備え、
前記医療用管がさらに、前記第１の加熱器ワイヤ回路を前記第２の加熱器ワイヤ回路に結合する接続回路を備える中間コネクタを備え、前記中間コネクタが、前記医療用管の前記第１の区分の患者端部と、前記医療用管の前記第２の区分のチャンバ端部とに結合されて、前記加湿ガスのための単一の管路を形成し、
前記中間コネクタの少なくとも一部が前記医療用管の内部にあり、環境条件から遮蔽され、
第１のモードでは、前記接続回路が、前記第２の加熱器ワイヤ回路には電力を提供することなく前記第１の加熱器ワイヤ回路に電力を提供するように構成されており、第２のモードでは、前記接続回路が、前記第１の加熱器ワイヤ回路と前記第２の加熱器ワイヤ回路との両方に電力を提供するように構成されている
医療用管。
【請求項２】
前記接続回路がダイオードを備える請求項１に記載の医療用管。
【請求項３】
前記第２の区分の患者端部において位置決めされた患者端部センサを備え、前記第１の区分が第１のセンサワイヤ回路を備え、第２の区分が第２のセンサワイヤ回路を備え、前記中間コネクタが、前記第１のセンサワイヤ回路を前記第２のセンサワイヤ回路に結合するセンサ接続回路を備え、前記患者端部センサが前記第２のセンサワイヤ回路に結合される請求項１に記載の医療用管。
【請求項４】
前記患者端部センサが、温度センサ、流量センサ、酸素濃度センサ、または湿度センサの１つである請求項３に記載の医療用管。
【請求項５】
前記第１の区分の前記患者端部に位置決めされた中間センサを備え、前記中間センサが前記第１のセンサワイヤ回路に結合されている請求項４に記載の医療用管。
【請求項６】
前記中間センサが、温度センサ、流量センサ、酸素濃度センサ、または湿度センサの１つである請求項５に記載の医療用管。
【請求項７】
前記センサ接続回路が、第１の検出モードにおいて前記中間センサに電力を供給することなく前記患者端部センサに電力を供給するように構成され、及び前記センサ接続回路が、第２の検出モードにおいて前記患者端部センサと前記中間センサとの両方に電力を供給するように構成されている請求項６に記載の医療用管。
【請求項８】
前記センサ接続回路がダイオードを備え、前記中間コネクタが印刷回路板及び前記センサ接続回路を備え、前記中間センサが前記印刷回路板上に位置決めされている請求項７に記載の医療用管。
【請求項９】
前記第１の構造及び前記第２の構造の少なくとも一つが細長い管を備え、前記細長い管が、
長手方向軸を有する前記管路を少なくとも一部形成するように螺旋状に巻かれた本体と、前記長手方向軸に沿って延びる内腔と、前記内腔を取り囲む壁とを備える第１の細長い部材と、
前記第１の細長い部材の隣接する一巻き同士の間に螺旋状に巻かれて接合された第２の細長い部材であって、前記細長い管の前記内腔の少なくとも一部分を形成する第２の細長い部材と
を備える請求項１に記載の医療用管。
【請求項１０】
前記第１の細長い部材が、中空体を備え、長手方向断面で、偏平な表面を有する複数の気泡体を前記内腔に形成する請求項９に記載の医療用管。
【請求項１１】
前記第１の加熱器ワイヤ回路が、前記第２の細長い部材の内部に、埋め込まれた、またはカプセル化された１つまたは複数の導電性フィラメントを備える請求項１０に記載の医療用管。
【請求項１２】
前記第２の細長い部材が、前記第１の細長い部材に対して構造的支持または補強として作用する請求項１０に記載の医療用管。
【請求項１３】
前記中間コネクタが印刷回路板を備え、前記接続回路が、前記印刷回路板上に位置決めされている請求項１に記載の医療用管。
【請求項１４】
第１の加熱器ワイヤ回路を有する吸気肢の第１の区分と、第２の加熱器ワイヤ回路を有する吸気肢の第２の区分と、前記第１の加熱器ワイヤ回路を前記第２の加熱器ワイヤ回路に結合するように構成されたコネクタ回路を有する中間コネクタと、前記第２の区分の患者端部に位置決めされた患者端部センサとを備える吸気肢と、
制御装置と
を備える呼吸用加湿システムであって、
前記制御装置が、前記制御装置が前記第１の加熱器ワイヤ回路に動力を提供する第１のモードと、前記制御装置が前記第１および第２の加熱器ワイヤ回路に動力を提供する第２のモードとを選択的に切り換えるように適合される呼吸用加湿システム。
【請求項１５】
前記制御装置が、前記患者端部センサからの入力に基づいて、前記第１のモードと前記第２のモードとを選択的に切り換えるように適合される請求項１４に記載のシステム。
【請求項１６】
前記第１の区分の患者端部に位置決めされた中間センサを備える請求項１４に記載のシステム。
【請求項１７】
前記制御装置が、一方または両方のセンサからの入力に基づいて、前記第１のモードと前記第２のモードとを選択的に切り換えるように適合される請求項１６に記載のシステム。
【請求項１８】
一方または両方のセンサからの前記入力が、温度、流量、湿度、および酸素含有率の１つまたは複数を含む請求項１７に記載のシステム。
【請求項１９】
前記第１のモードおよび前記第２のモードが、電源によって提供される電流の方向によって定義される請求項１４に記載のシステム。
【請求項２０】
前記制御装置が、前記制御装置が前記患者端部センサからの信号を読み取る第１のセンサ読取りモードと、前記制御装置が前記中間センサと前記患者端部センサとの両方からの信号を読み取る第２のセンサ読取りモードとを選択的に切り換えるように適合される請求項１６に記載のシステム。
【請求項２１】
前記中間センサおよび前記患者端部センサが温度センサである請求項１６に記載のシステム。
【請求項２２】
第１の区分及び第２の区分を備える医療用管であって、各区分が、
長手方向軸を有する細長い管と、前記長手方向軸に沿って延びる内腔と、前記内腔を取り囲む中空壁とを形成するように螺旋状に巻かれた細長い中空体であって、横方向断面で、前記細長い管の前記内腔の少なくとも一部分を画定する壁を有する細長い中空体と、
前記細長い中空体の隣接する一巻き同士の間に螺旋状に位置決めされた、前記細長い中空体の長さに沿って延びる補強部分であって、前記細長い管の前記内腔の少なくとも一部分を画定し、前記細長い中空体の前記壁よりも堅い補強部分と、
前記補強部分の内部に埋め込まれた、またはカプセル化された１つまたは複数の導電性フィラメントと
を備え、
前記医療用管がさらに、前記第２の区分に対して前記第１の区分を接続させるように適合された区分コネクタを備え、前記区分コネクタが、
前記第１の区分からの前記導電性フィラメントを前記第２の区分からの前記導電性フィラメントに結合させるように構成された接続パッドと、
前記接続パッドに結合されたパワーダイオードとを備え、
前記パワーダイオードが、前記第１の区分の前記導電性フィラメントに送られる第１の極性の電力が、前記第２の区分の前記導電性フィラメントに送られないようにし、
前記パワーダイオードが、前記第１の区分の前記導電性フィラメントに送られる第２の極性の電力が、前記第２の区分の前記導電性フィラメントに提供されるようにする
医療用管。